(57)【特許請求の範囲】
【請求項１】
マンホールポンプを上流から下流に向けて複数個連結していくことでマンホールポンプ内に溜まった水をポンプアップしながら下流側のマンホールポンプに流していく排水設備の前記各マンホールポンプに取り付けられる通報装置において、
前記通報装置は、この通報装置を取り付けたマンホールポンプに上流からの水を溜めることに支障が生じたことを検出した際に、このマンホールポンプに連結されている上流側のマンホールポンプの通報装置に通信手段を介して直接インターロック制御信号を送信することで上流側のマンホールポンプの送水を停止させるように構成されていることを特徴とする通報装置相互間インターロック制御機能を具備する通報装置。
【発明の詳細な説明】
【０００１】
【発明の属する技術分野】
本発明は、マンホールポンプのインターロック制御に用いて好適な通報装置相互間インターロック制御機能を具備する通報装置に関するものである。
【０００２】
【従来の技術】
従来、各家庭や工場その他から排出される汚水をマンホールにおいてポンプアップするマンホールポンプを用いて排水していく排水設備がある。汚水は汚水管の高低差を利用して汚水本管や汚水処理場に移送されていくが、この高低差を長距離にわたって維持するのは困難である。このため図２に示すように、汚水管７０に所定間隔毎にマンホールポンプ５０（５０−１〜７）を接続し、上流側から流れ込んできた汚水を各マンホール５１（５１−１〜７）内に溜め、所定量になったらポンプＰによって下流側のマンホールポンプ５０にポンプアップして排水していく排水設備が利用されている。
【０００３】
ところでもし何れかのマンホールポンプ５０のポンプＰ自体が故障したり、エアロックや吸込閉塞等が生じた場合、このマンホール５１内の汚水を排水することができなくなってしまい汚水がマンホール５１から溢れる恐れがある。
【０００４】
このため各マンホールポンプ５０（５０−１〜７）に設置された制御盤５５（５５−１〜７）の中にはそのマンホールポンプ５０で異常が生じたことを外部に知らせる通報装置が取り付けられ、これら通報装置がマンホール５１で水が溢れる恐れがあるという異常を検出した場合は、その異常内容を一般公衆電話回線や専用線電話回線を介して、音声、ＦＡＸ、ポケベル、モデム信号等、或は無線、又は電話によってこの排水設備全体を制御している管理センタの中央監視制御装置に対して通報し、一方通報を受け取った中央監視制御装置や電話機からは、障害が発生したマンホールポンプ５０の上流側のマンホールポンプ５０の通報装置に自動や手動で制御信号を送信してインターロックを掛けてポンプＰの運転を停止して障害が発生したマンホールポンプ５０への送水を停止するようにしていた。
【０００５】
しかしながら上記従来の方法では、中央監視制御装置が回線使用中であったり故障した場合は、上流側のマンホールポンプ５０の運転停止などの対応に時間的遅れが生じる恐れがあり、また電話機による制御の場合は、操作員が不在の場合に制御できないという欠点があった。
【０００６】
【発明が解決しようとする課題】
本発明は上述の点に鑑みてなされたものでありその目的は、異常発生時の上流側マンホールポンプの運転停止等の対応が容易、迅速且つ確実に行なえる通報装置相互間インターロック制御機能を具備する通報装置を提供することにある。
【０００７】
【課題を解決するための手段】
上記問題点を解決するため本発明にかかる通報装置相互間インターロック制御機能を具備する通報装置は、マンホールポンプを上流から下流に向けて複数個連結していくことでマンホールポンプ内に溜まった水をポンプアップしながら下流側のマンホールポンプに流していく排水設備の前記各マンホールポンプに取り付けられる通報装置において、前記通報装置は、この通報装置を取り付けたマンホールポンプに上流からの水を溜めることに支障が生じたことを検出した際に、このマンホールポンプに連結されている上流側のマンホールポンプの通報装置に通信手段を介して直接インターロック制御信号を送信することで上流側のマンホールポンプの送水を停止させるように構成されていることを特徴とする。
【０００８】
【発明の実施の形態】
以下、本発明の実施の形態を図面を参照して詳細に説明する。
図１は本発明の一実施形態にかかる通報装置の回線接続構成例を示す図である。この回線接続構成例は前記図２に示す排水設備の構成に対応するように記載されている。同図に示すように、各マンホールポンプ５０（５０−１〜７）（図２参照）の制御盤５５（５５−１〜７）は、ポンプＰ等を駆動する動力回路５７（５７−１〜７）と、動力回路５７の制御を行う制御回路５９（５９−１〜７）と、外部の通信回線との間でデータの送受信を行なう通報装置６０（６０−１〜７）とを設けて構成されている。
【０００９】
そして各通報装置６０は、公衆回線又は専用回線を介して、少なくともその通報装置６０を取り付けたマンホールポンプ５０の直接上流側のマンホールポンプ５０の通報装置６０に制御信号を送信できるように接続されている。即ち例えば通報装置６０−１は、図２に示すマンホールポンプ５０−１の上流側に直接接続されているのが３つのマンホールポンプ５０−２，３，４なので、少なくともこれらのマンホールポンプ５０−２，３，４の通報装置６０−２，３，４に直接制御信号を送信できるように構成され、また通報装置６０−２は、マンホールポンプ５０−２の上流側に直接接続されているのが３つのマンホールポンプ５０−５，６，７なので、少なくともこれらのマンホールポンプ５０−５，６，７の通報装置６０−５，６，７に直接制御信号を送信できるように構成されている。
【００１０】
なお各通報装置６０には制御回路５９から各種故障情報などが入力され、これら情報は通報装置６０から公衆回線又は専用回線を介してこの排水設備全体を制御している図示しない管理センタの中央監視制御装置に送信され、一方中央監視制御装置からは同様に公衆回線又は専用回線を介して各通報装置６０にマンホールポンプ５０の制御に必要な情報が入力される。
【００１１】
そして制御回路５９から通報装置６０に入力される各種故障情報の内、マンホールポンプ５０に上流から流れてくる水を溜めることに支障が生じたという故障情報が入力された場合、その通報装置６０はその情報を中央監視制御装置に送信すると同時に（又は中央監視制御装置に送信することなく）、その通報装置６０を設置したマンホールポンプ５０の上流側に直接接続したマンホールポンプ５０の通報装置６０（どの通報装置６０に通報するかは予め各通報装置６０に設定しておく）に公衆回線又は専用回線を介して直接インターロック信号を伝送し、インターロック信号を受けた通報装置６０のマンホールポンプ５０の運転を停止する。一方前記インターロック信号を送信した側のマンホールポンプ５０の異常が解除された場合は、その通報装置６０から前記インターロック信号送信先の通報装置６０に対してインターロック解除信号を送信してそのインターロックを解除し、通常の運転に戻す。
【００１２】
さらに具体的に説明する。マンホールポンプ５０−１に上流から流れてくる水を溜めることに支障が生じた場合、例えばマンホール５１−１からの排水ができなくなったり、排水量が極端に少なくなったりした（例えばポンプＰ自体が故障したり、ポンプＰにエアロックや吸込閉塞等が生じたり、停電してポンプＰの運転が出来なくなったような場合）上に、マンホール５１−１内の水位が異常上昇水位まで上昇したことをセンサで検出した場合、即ち汚水がマンホール５１−１から溢れ出る恐れが生じたような場合は、このマンホールポンプ５０−１の修理がされたり、停電が復旧するまで上流からの汚水の流入を阻止する必要が生じる。
【００１３】
そこで通報装置６０−１はマンホールポンプ５０−１の直接上流側に接続されている各マンホールポンプ５０−２，３，４の通報装置６０−２，３，４に対してインターロック信号を送信してマンホールポンプ５０−２，３，４の運転を停止させる。通報先である通報装置６０−２，３，４は予め通報装置６０−１に設定しておく。
【００１４】
公衆回線を経由して通報する場合は、例えば図３（ａ）に示すように「インターロック通報先電話番号」（各通報装置６０−２，３，４の電話番号）と、「専用線通報識別文字」（通報内容がインターロック信号であることを示すもの）と、「専用線通報識別コード」（その電話機の番号であり例えば親機なら１、子機なら２、３、・・）と、「インターロック通報先ＩＤ番号」（その通報装置へのアクセスを可能にするＩＤ番号）とを用い、専用回線内の通報装置に通報する場合は例えば図３（ｂ）に示すように「専用線通報識別文字」と「専用線通報識別コード」と「インターロック通報先ＩＤ番号」とを用いる。
【００１５】
インターロック信号を受信した通報装置６０−２，３，４は、それぞれ制御回路５９−２，３，４に対してインターロック信号を出力し、インターロック信号を受信した制御回路５９−２，３，４はその信号に対応して動力回路５７−２，３，４を制御する出力回路を遮断し、これによってマンホールポンプ５０−２，３，４の運転は停止され、障害が発生しているマンホールポンプ５０−１への送水が停止され、マンホールポンプ５０−１から水が溢れ出すことが防止される。
【００１６】
一方マンホールポンプ５０−２，３，４の運転を停止したことによって例えばマンホールポンプ５０−２に上流側から流入してくる汚水によってマンホール５１−２内の水位が異常上昇水位に達して汚水がマンホール５１−２から溢れ出る恐れが生じた場合は、同様にその上流側に接続されているマンホールポンプ５０−５，６，７の各通報装置６０−５，６，７に対してインターロック信号を送信してマンホールポンプ５０−５，６，７の運転を停止させる。
【００１７】
そして前記マンホールポンプ５０−１の異常が修理作業者による修理や停電解除などによって回復して通常水位に戻った場合は、通報装置６０−１はインターロック信号を送信した通報先の通報装置６０−２，３，４に対してインターロック解除信号を送信する。インターロック解除信号を受信した制御回路５９−２，３，４はその信号に対応して動力回路５７−２，３，４を制御する出力回路の遮断を解除し、その運転を再開する。
【００１８】
マンホールポンプ５０−２の運転再開によってマンホール５１−２内の汚水の水位が通常水位に戻ると、同様に通報装置６０−２は通報装置６０−５，６，７に対してインターロック解除信号を送信してマンホールポンプ５０−５，６，７の運転を再開する。
【００１９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの構成であっても、本願発明の作用・効果を奏する以上、本願発明の技術的思想の範囲内である。例えば通報装置がインターロック信号を送信する条件は上記条件に限定されず、要はマンホールポンプに上流からの水を溜めることに支障があるという条件であればどのような条件であっても良い。また通報装置間をつなぐ通信手段は各種ネットワーク回線などの他の各種通信手段であっても良い。
【００２０】
【発明の効果】
以上詳細に説明したように本発明によれば、通報装置間で直接インターロック制御及び解除を行なうため、たとえ中央監視制御装置が回線使用中であったり故障した場合でも、また電話機による制御の場合で操作員が不在の場合でも、上流側のマンホールポンプの運転停止などの対応に時間的遅れが生じることはなく、その対応が容易、迅速且つ確実に行なえる。また中央監視制御装置や電話機による制御システムが存在しない場合でも障害発生の都度障害発生ポンプ場の上流に位置するポンプ場に緊急出動してその運転を停止する緊急性が緩和され、現場の維持管理上出動までの時間的余裕が持てるようになった。
【図面の簡単な説明】
【図１】本発明の一実施形態にかかる通報装置の回線接続構成例を示す図である。
【図２】マンホールポンプ５０（５０−１〜７）を用いた排水設備の一例を示す図である。
【図３】図３（ａ），（ｂ）はそれぞれ公衆回線と専用回線における通報装置の通報先番号の一例を示す図である。
【符号の説明】
５０（５０−１〜７）  マンホールポンプ
５１（５１−１〜７）  マンホール
５５（５５−１〜７）  制御盤
５７（５７−１〜７）  動力回路
５９（５９−１〜７）  制御回路
６０（６０−１〜７）  通報装置
７０  汚水管
【図１】
0003892252.tif 000002
【図２】
0003892252.tif 000003
【図３】
0003892252.tif 000004